(57)【要約】      （修正有）【課題】可動式であって、揺れ等に対し安定で、常時十分な充電が可能な電源装置を提供する。【解決手段】ソーラーパネル２と、キャスター３１、ソーラーパネル接続口３２、直流コンセント３３及び交流コンセント３４を備えた筺体３と、ソーラーパネルとソーラーパネル接続口を接続するソーラーパネル接続コード２１と、筺体に収納される直流バッテリー、該直流バッテリーに接続され直流バッテリーの出力を交流に変換し交流コンセントを介して外部に電力を供給するための交流変換機、直流バッテリーに接続され直流バッテリーに充電するための充電器、直流バッテリーに接続されバッテリーの状態を表示するモニタ装置、及び、直流バッテリーとソーラーパネル接続口に接続されソーラーパネルからの入力電圧を調節するソーラーチャージコントローラを有する電源装置１とする。【選択図】図１
0003170108.tif 000002
【実用新案登録請求の範囲】
【請求項１】
ソーラーパネルと、
キャスター、ソーラーパネル接続口、直流コンセント及び交流コンセントを備えた筺体と、
前記ソーラーパネルと前記ソーラーパネル接続口を接続するソーラーパネル接続コードと、
前記筺体に収納される直流バッテリー、前記直流バッテリーに接続され前記直流バッテリーの出力を交流に変換し前記交流コンセントを介して外部に電力を供給するための交流変換機、前記直流バッテリーに接続され前記直流バッテリーに充電するための充電器、前記直流バッテリーに接続され前記バッテリーの状態を表示するモニタ装置、及び、前記直流バッテリーと前記ソーラーパネル接続口に接続され前記ソーラーパネルからの入力電圧を調節するソーラーチャージコントローラ、を有する電源装置。
【請求項２】
前記筺体は、内部空間を上下に分割する仕切板を備え、前記仕切板によって区切られる下側の空間に前記直流バッテリーを配置している請求項１記載の電源装置。
【請求項３】
前記ソーラーパネルと前記ソーラーパネル接続口は、接続コードを介して接続され、前記接続コードと前記ソーラーパネル、及び、前記接続コードと前記ソーラーパネル接続口の接続は、それぞれ、プラグとコネクタによって接続されており、
前記接続コードは、前記筺体内に設けられる収納部品によって前記筺体内に収納可能である請求項1記載の電源装置。
【考案の詳細な説明】
【技術分野】
【０００１】
本考案は電源装置に関し、より具体的には、停電等の非常時に使用することのできる非常用の電源装置に関する。
【背景技術】
【０００２】
我々の身の回りの多くの製品は電気によって機能し、日常生活において電気は必須で欠くことのできないものとなっている。したがって、地震や雷等の自然災害等により電力会社からの送電がストップし停電となった場合、非常に不便な状況となり、場合によっては生命の危険に晒されることさえある。
【０００３】
したがって、地震や雷等により停電が起こった場合、電力会社からの電気の供給に頼らず電気を得る備えが必要である。
【０００４】
例えば下記特許文献１に、ソーラーパネルを上部に備えた非常用電源付のタワーサインが開示されている。
【先行技術文献】
【特許文献】
【０００５】
【特許文献１】実用新案登録第３１４９７４８号
【考案の概要】
【考案が解決しようとする課題】
【０００６】
しかしながら、上記特許文献１に記載の技術では、装置上部にソーラーパネルを配置するものであり、バランスが悪く、倒れやすい。また、あくまでタワーサインであって可動式ではなく、電源が必要とされる装置近傍まで運ぶことが極めて困難である。更に、ソーラーパネル以外の充電方法の採用はなく、バッテリーによる自然放電の状態によっては、十分に充電されておらず、非常時にバッテリーが十分機能しなくなってしまうといった課題がある。
【０００７】
そこで、本考案は、上記課題を鑑み、可動式であって、揺れ等に対し安定で、常時十分な充電が可能な電源装置を提供することを目的とする。
【課題を解決するための手段】
【０００８】
すなわち、本考案の一観点に係る電源装置は、ソーラーパネルと、キャスター、ソーラーパネル接続口、直流コンセント及び交流コンセントを備えた筺体と、ソーラーパネルとソーラーパネル接続口を接続するソーラーパネル接続コードと、筺体に収納される直流バッテリー、直流バッテリーに接続され直流バッテリーの出力を交流に変換し交流コンセントを介して外部に電力を供給するための交流変換機、直流バッテリーに接続され直流バッテリーに充電するための充電器、直流バッテリーに接続されバッテリーの状態を表示するモニタ装置、及び、直流バッテリーとソーラーパネル接続口に接続されソーラーパネルからの入力電圧を調節するソーラーチャージコントローラ、を有する。
【考案の効果】
【０００９】
以上、本考案によって、より信頼性が高く、持ち運びが容易な電源装置を提供することができる。特に、本考案では、ソーラー発電による充電機能と、交流電源（家庭用電源）による充電昨日の二つの充電機能を兼ね備えており非常に信頼性が高い。
【図面の簡単な説明】
【００１０】
【図１】実施形態１に係る電源装置の概略を示す図である。
【図２】実施形態１に係る電源装置の筺体内部の概略図である。
【図３】実施形態１に係る電源装置の概略を示す図である。
【図４】実施形態２に係る電源装置の筺体内部の概略図である。
【考案を実施するための最良の形態】
【００１１】
以下、本考案を実施するための形態について図面を用いて詳細に説明する。ただし、本考案は多くの異なる形態による実施が可能であり、以下に示す実施形態の記載の例にのみ限定されるものではない。
【００１２】
図１は、本実施形態に係る電源装置（以下「本電源装置」という。）１の概略を示す図であり、図２は、本電源装置１の筺体３の内部の概略図である。これらの図で示すように、本電源装置１は、ソーラーパネル２と、キャスター３１、ソーラーパネル接続口３２、直流コンセント３３及び交流コンセント３４を備えた筺体３と、ソーラーパネル２とソーラーパネル接続口３２を接続するソーラーパネル接続コード２１と、筺体３に収納される直流バッテリー４、直流バッテリー４に接続され直流バッテリー４の出力を交流に変換し交流コンセント３４を介して外部に電力を供給するための交流変換機５、直流バッテリー４に接続され直流バッテリー４に充電するための充電器６、直流バッテリー４に接続され直流バッテリー４の状態を表示するモニタ装置７、及び、直流バッテリー４とソーラーパネル接続口３２に接続されソーラーパネル２からの入力電圧を調節するソーラーチャージコントローラ８、を有する。
【００１３】
本電源装置１において、ソーラーパネル２は、太陽の光に基づいて発電することのできる装置である。ソーラーパネル２は、この機能を有する限りにおいて限定されないが、太陽電池を複数並べて相互に接続し、パネル状にしたものである。ソーラーパネル２としては、特に限定されず、市販されているものを使用することができるが、接続する電気機器の使用に耐えられる程度の電力を供給することができるよう、最大出力１００Ｗ以上あることが好ましく、より好ましくは１５０Ｗ以上であることが好ましい。
【００１４】
またソーラーパネル２は接続コード２１に接続されており、接続コード２１は筺体３のソーラーパネル接続口３２に接続され、直流バッテリー４に電気を送り、蓄積させることができる。この接続コード２１とソーラーパネル接続口３２の接続は特に限定されるわけではないが、プラグとコンセントによる接続であることは好ましい一例であり、この場合、接続コード２１側がプラグ２１１を有しており、ソーラーパネル接続口３２がコンセントとなっていることが好ましい。この結果、ソーラーパネル２と筺体３とは分離が可能となり、ソーラーパネル２と筺体３とを分離して配置し、必要に応じて接続して使用することが可能となり、利便性が向上する。
【００１５】
また本実施形態において接続コード２１のソーラーパネル２側は、ソーラーパネル２１に直接接続されていてもよいが、コンセント２１３とプラグ２１４との組み合わせにより分離可能の部分を有していることが好ましい。このようにすることで、ソーラーパネル２１の構造をより簡略化することが可能となり、例えば折りたたみ可能な構造としても邪魔になる虞が格段に低くなる。
【００１６】
また本実施形態において筺体３は、上記のとおり直流バッテリー４等を収納することのできるものである。筺体３の材料としては特に限定されるわけではないが、金属等硬質なものであることが好ましい。
【００１７】
本実施形態において筺体３の形状は、特に限定されるわけではないが、内部に空間３５を有し、開閉扉３６によって開閉できるものであることが好ましい。
【００１８】
本実施形態において、筺体３の下部には、キャスター３１が付されている。キャスターを付すことで、移動可能となる。キャスター３１は、限定されるわけではないが、底面に少なくとも３つ以上、好ましくは筺体３の底面が四角形状である場合はその四隅に一つずつ合計４つ設けられていることが好ましい。
【００１９】
また本実施形態では、内部の空間３５が仕切板３７によって、上下に分割されていることが好ましく、その下側の空間３５１に直流バッテリー４を配置していることが好ましい。直流バッテリー４は一般に重量が重いため、空間３５を仕切り、上側の空間３５２にモニタ装置等の他の部品を、下側に直流バッテリー４を配置することが可能となり、重心を装置下部にすることが可能となり、安定的な配置が可能となる。
【００２０】
本実施形態において直流バッテリー４は、ソーラーパネル２からの電気を蓄えることができるものである。直流バッテリー４は、限定されることなく市販のものを採用することができる。直流バッテリー４の電圧は、限定されるわけではないが、１２Ｖ程度のものであれば一般的であり特に電圧変換を行わずに済むため好ましい。また直流バッテリー４は、一つであってもよいが複数を電気的に接続したものであってもよい。特に並列に接続すればより大容量化が可能となる。
【００２１】
また本実施形態において、直流バッテリー４は、ソーラーパネル２に接続されているが、直流バッテリー４とソーラーパネル２の間には、ソーラーチャージコントローラ８が配置されており、ソーラーパネル２からの入力電圧を調節することができる。この結果、ソーラーパネル２は、接続コード２１、ソーラーパネル接続口３２、ソーラーチャージコントローラ８を介して直流バッテリー４に接続されることとなる。
【００２２】
本実施形態において、ソーラーチャージコントローラ８は、上記のとおり、筺体３内であって、上の空間３５２に配置されていることが好ましい。
【００２３】
また本実施形態において、筺体３には、直流コンセント３３が備え付けられている。直流コンセント３３を備えることで、ユーザーは、直流電源によって駆動する電化製品のプラグをこのコンセント３３に挿すことで電化製品を使用することができる。なお、直流バッテリーと直流コンセント３３が定める電圧が等しければそのまま接続コードで接続するだけで済むが、異なる場合は、電圧変換機をかませてもよい。
【００２４】
本実施形態において、交流変換機５は、直流バッテリー４が出力する直流電圧を交流電圧に変換するものである。交流変換機５は市販されているものを使用することができる。交流変換機によって変換された交流の電圧は、限定されるわけではないが１００Ｖ、周波数は５０Ｈｚ又は６０Ｈｚであることが好ましい。この値は一般家庭で使用する電源であって、この値とすることで、一般の交流電化製品のプラグをそのまま挿入して使用することが可能となる。なお、交流変換機５は直流バッテリー４と交流コンセント３４の間に接続されていることが好ましい。この結果、直流バッテリー４は、接続コードを介して交流変換機に接続され、更に接続コードを介して交流コンセント３４に接続されることとなる。なお、本実施形態において、交流変換機５も、上記ソーラーチャージコントローラ８と同様、筺体３の上の空間３５２に配置されていることが好ましい。
【００２５】
また本実施形態において、直流バッテリー４には、直流バッテリー４の状態を検出、表示するためのモニタ装置７が配置されている。モニタ装置７を設けることで、各計測時点のバッテリーにおける充電量や電圧値を確認することができる。このモニタ装置７も、上記ソーラーチャージコントローラ８と同様、筺体３の上の空間３５２に配置されていることが好ましい。
【００２６】
また本実施形態において、直流バッテリー４には、充電器６が接続されている。直流バッテリー４は性能上自然放電を起こすため、ソーラーパネル２と分離した状態はもちろん、ソーラーパネルに接続され充電可能な状態であったとしても、天候等の諸条件によって長期に充電が十分でない場合があり得る。ソーラーパネルとの分離が長時間続いた場合や、ソーラーパネルに接続されていたとしても自然放電量がソーラーパネルの充電量を下回った場合、使用したくても放電によって十分な充電量がなく、電化製品が使用できなくなってしまう場合がある。そのため、直流バッテリー４に充電器６を接続することで自然放電した分充電することができるようになる。なお、充電器６は、一方が直流バッテリー４に接続され、他方はプラグを介して建物内等の一般のコンセントに接続することができるようになっている。そのためこの充電器６としては、例えば、交流電源（家庭用電源）からの電力の供給を受ける充電器であることが好ましい。この結果、本考案は、交流充電器を兼ね備えているため、いつ起こるか分からない緊急時において１００パーセントの性能を発揮することができるようになる。一方、交流電源喪失時には、格納してあるソーラーパネルを設置することで、ソーラー発電による充電機能で引き続き電源装置としての機能を発揮することができる。
【００２７】
以上、本電源装置は、直流バッテリーなど必要な部品を筺体内に収納するとともに、ソーラーパネルと分離可能な構造を有しているため、持ち運びが非常に簡便となる。特に、筺体の下にはキャスターを備え移動が容易となっていると共に、筺体の下の空間に直流バッテリーを配置させることで重心を筺体下部にすることができ、非常に安定した作りとなる。更に、直流バッテリー用の充電器も備えており、自然放電に対しても対策を取り常時安定的に電力を確保することができる。すなわち、より信頼性が高く、持ち運びが容易な電源装置を提供することができる。
【００２８】
（実施形態２）
本実施形態は、上記実施形態１と構造は同様であるが、サイズを大きくし、上記部品以外の様々な装置を収納することができるようにした点が実施形態１と異なる。以下、大きく異なる点を中心に説明する。図３は、本実施形態に係る電源装置（以下「本電源装置」という。）の概略図であり、図４は、その筺体３をあけた場合の図である。
【００２９】
本電源装置１の筺体３は、実施形態１よりも大型となっており、上の空間３５１には、ソーラーパネル接続コード２１を収納するための部品３８が取り付けられている。このようにすることで、ソーラーパネル側の構造をより簡略化することができる一方、筺体３側に部品を集約することができる。
【００３０】
ソーラーパネル接続コード２１を収納するための部品としては、機能を実現することができる限りにおいて限定されるわけではなく、接続コードを丸めて収納するためのケースであってもよいが、フックであることは簡便で好ましい形態である。
【００３１】
また、本電源装置１には、例えば仕切板３７上にものを配置せず、例えばコードリール３９等を配置してもよい。このようにすることで、より離れた場所に電気を供給することが可能となる。なおこの場合において、交流変換機、モニタ装置、充電器等で可能なものは筺体３の壁面に固定することはより広い空間を確保する観点から非常に有用である。このようにすると、緊急時に最低限必要となる装置を一箇所に収納することができる収納庫としての機能を有することができる。
【００３２】
また、本電源装置１には、例えば照明装置を収納させてもよい。このように照明装置を収納させることで、まず明るさを確保することが可能となり、非常時に極めて役に立つ。この場合、照明装置は、限定されるわけではないが、ＬＥＤランプ等の低消費電力量の装置であることは好ましい。なお本実施形態で例示する照明装置は、折りたたみ可能な三脚と、この三脚の上部に取り付けられたＬＥＤランプとを有するものであり、直流で駆動することができる。そして筺体３の仕切板３７には切り欠き部３７１が形成され、この切り欠き部に折りたたんだ照明装置等を収納させることができる。
【００３３】
以上、本電源装置１によっても、より信頼性が高く、持ち運びが容易な電源装置を提供することができる。特に、本実施形態によると、コードリール等を収納するスペースも確保することが可能となり、より実用的なものとなる。
【００３４】
なお、本実施形態においては、部品３７、コードリール、照明装置の全てを備えている例を示しているが、このそれぞれは独立して筺体３に配置することが可能であり、いずれかがない実施形態もあり得ることはいうまでもなく、もちろん、仕切板上に物を配置するスペースを確保するためにモニタ装置等も適宜筺体３の内壁に固定することも独立して可能であることも言うまでもない。
【産業上の利用可能性】
【００３５】
本考案は、非常用の電源装置として産業上の利用可能性がある。
【図１】
0003170108.tif 000003
【図２】
0003170108.tif 000004
【図３】
0003170108.tif 000005
【図４】
0003170108.tif 000006